(57)【要約】本発明の、荷物を持ち上げる液圧式持ち上げプラットフォーム、空中プラットフォーム、同様のもののための、けが防止保護装置は、四面体の構造体（１）と、発光装置（７）とを包含している。構造体（１）は、荷物を持ち上げる、角張っている台（Ｐ)、空中プラットフォーム、同様のものの、エッジの保護に用いられる。伸縮自在な構造体（６）は、構造体（１）から、エッジを保護するために伸長する。発光装置（７）は、それらが、保護する平面の表面に接触した時に、自動的に始動する。上記構造体（１）の下側の部分には、水平方向に旋回する平面（４、５）が設けられており、磁石などの手段により待機位置に保持されている。平面（４、５）は、一旦開かれると、四面体の頂部に設けられている、間欠動作している危険光信号に、それらが備えている蛍光性を追加し、これにより、障害物と危険領域とを示すための注意を同時に喚起するようになっている。
2006524154.tif 000002
【特許請求の範囲】
【請求項１】
荷物持ち上げ用、空中プラットフォーム用、そして、同様のものの、液圧式台用の、けが防止保護装置であって、
構造体（１）と、矩形平面（４、５）と、複数の伸長自在な構造体（６）と、発光手段（７）と、金属接着手段（８）とを備えており、
構造体（１）は、主に四面体形状であり、エッジに、及び／又は、上記台（Ｐ)の角張ったエッジを覆っている伸縮自在な周辺部バンド（２、３）と共に台（Ｐ)に沿って、適用されており、
矩形平面（４、５）は、上記構造体（１）に対し、上記エッジに沿って水平方向に旋回されるものであり、蛍光塗料又はそれに類するものが塗布されており、これによって、はっきりと見え、且つ、上記台（Ｐ)へのあらゆる衝突を無くすようになっており、
複数の伸縮自在な構造体（６）は、上記構造体（１）を始点として、その伸長方向において、角張った台（Ｐ)の長い部分を覆っており、
発光手段（７）は、上記台（Ｐ)が下げられた時に自動的に始動し、これによって、自動二輪の運転者、通行人、その他の者のために危険を表し、
金属接着手段（８）は、上記平面（４、５）を不使用時に折り畳むためのものである、ことを特徴とする、けが防止保護装置。
【請求項２】
複数の伸長自在な構造体（６）が、角張った台（Ｐ)の伸長方向部分に広がっていることを特徴とする、請求項１に記載のけが防止保護装置。
【発明の詳細な説明】
【発明の詳細な説明】
【０００１】
本発明は、荷物を持ち上げる、空中プラットフォームの、同様のものの、ための液圧式台用の、そして、地上、海上、空中で、同様の原理で動作するあらゆる物用の、けが防止保護装置に関する。
【０００２】
周知のことであるが、例えば、トラックや同様のものの液圧式台の操作、即ち、荷物の昇降は、時として、また、都心部では、二番目の車線で行われ、たびたび、操作することが難しく、そして、自動二輪の運転者が、頭の高さで台の角張ったエッジにぶつかり、ひどいけがを負うという危険がある。
【０００３】
事実、上記台は、その考慮すべき、且つ、問題となる寸法に起因する危険性を示すものである。それは、その硬い金属性の本体であり、且つ、幅広いが、薄く、全てが角張った剪断要素を形成している、油断ならない矩形形状のことである。
【０００４】
同様の危険な状況は、海上と空中で、移動用に用いる空中プラットフォームの使用中に、現れる。該移動は、地面から階へ、またその逆向きの、そして、その他の種々の移動及び／又は鉄道輸送における負荷の垂直な移動と、ラバーの積み降ろしと、のためのものである。
【０００５】
本発明は、発光信号と蛍光性交通信号とによって、周囲の注意を引きつけることによって、上記リスクを除去することを目的とするものであるが、衝突した場合に、液圧式台や他の同様のシステムで適切に選ばれた最も危険な部分、即ち、エッジや角張った側面に、ふさわしい耐ショック材が、その大半の部分に被覆されているものである。本発明では、エッジの保護は、発光装置の独立した電源を備えている、好ましい四面体形状の固体を用いることによって得られる。上記固体は、台のエッジに設けられており、伸縮自在な手段が与えられている。該伸縮自在な手段は、側面を保護するものである。発光装置の独立した電源は、それが、保護する平面の表面に接触した時に、自動的に始動する。四面体の下側の部分には、水平方向に旋回する平面が設けられている。上記平面は、磁石などの手段によって待機位置に保持されている。平面は、開かれると、上記四面体の頂部に設けられている、間欠動作している危険光信号に、それらが備えている蛍光性を追加し、これによって、障害物と危険領域とを示すための注意を、同時に喚起し、呼び戻すようになっている。上記四面体は、ふさわしい材料により形成されている。
【０００６】
本発明では、上記四面体は、伸縮自在な保護パッキンを内部に有している。保護パッキンは、強要されるものではないが、台や空中プラットフォーム等のエッジを形成するブレード上の保護機能を高めるため、四面体がエッジ上に取り付けられた時点で、けが防止の目的でブレードを覆うものである。
【０００７】
本発明の明確な効果は、人々の安全であり、取扱い容易であり、容量が小さいため、仕事の邪魔にならないことである。
【０００８】
本発明は、示されている実施例において、添付の図面を参照しつつ、詳細に説明される。
【０００９】
添付図面は、荷物持ち上げ用、空中プラットフォーム用、そして、同様のものの、液圧式台用の、けが防止保護装置を示している。けが防止保護装置は、構造体１と、矩形平面４、５と、伸縮自在な（入れ子式の）構造体６と、発光手段７と、金属接着手段８と、を包含している。構造体１は、主に四面体形状であり、エッジに、及び／又は、台Ｐの角張ったエッジを覆っている伸縮自在な周辺部バンド２、３と共に台Ｐに沿って、適用されている。矩形平面４、５は、上記構造体１に対し、上記エッジに沿って水平方向に旋回されるものであり、蛍光塗料又はそれに類するものが塗布されており、これにより、はっきりと見え、そして、上記台Ｐへのあらゆる衝突を無くすようになっている。複数の伸縮自在な構造体６は、その伸長方向において、角張った台Ｐの長い部分を覆っている。発光手段７は、上記台Ｐが下げられた時に自動的に始動し、これにより、自動二輪の運転者、通行人、その他の者のために危険を表す。金属接着手段８は、上記平面４、５を不使用時に折り畳むためのものである。
【００１０】
本発明の装置の動作は、簡単、且つ、明確である。
即ち、上記台Ｐが下げられた時、構造体１の構成要素７が、発光し、水平方向に旋回する平面４、５は、垂直方向に、下向きに下げられ、これにより、危険を視覚化する。
また、伸縮自在の構造体６は、伸長することにより、上記台Ｐの伸長の、より一層の、そして、完全な保護を行う。
【図面の簡単な説明】
【００１１】
【図１】本発明の、荷物を持ち上げる液圧式台、空中の台、同様の台のための、けが防止保護装置の軸測投影図を示している。
【図２】正方形断面を示している。
【図３】本発明の装置を、液圧式台、即ち、トラックや同様の物に、用いた状態を示している。
【図１】
2006524154.tif 000003
【図２】
2006524154.tif 000004
【図３】
2006524154.tif 000005
【国際調査報告】
2006524154.tif 000006
2006524154.tif 000007
2006524154.tif 000008